【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
光源と、
前記光源が発する光が入射する端面、第一主面、及び、凹凸構造が設けられた、前記第一主面と背向する第二主面を有する導光体と、
前記凹凸構造上に設けられた、図柄を構成する図柄層とを備え、
前記凹凸構造は、前記図柄に応じたものである
照明装置。
【請求項２】
前記凹凸構造が設けられた前記導光体の各部の厚みは、前記図柄の輝度に応じて形成される
請求項１に記載の照明装置。
【請求項３】
前記凹凸構造が設けられた前記導光体の各部の厚みは、前記図柄の輝度に反比例している
請求項２に記載の照明装置。
【請求項４】
前記凹凸構造は、前記図柄の画像データに基づいて形成され、
前記凹凸構造が設けられた前記導光体の各部の厚みの解像度は、前記画像データの最小画素単位と同じである
請求項１〜３のいずれか１項に記載の照明装置。
【請求項５】
前記導光体は、
前記第一主面側の透光層と、
前記透光層よりも高い可撓性を有する前記第二主面側のフィルム層とを有し、
前記凹凸構造は、前記フィルム層に設けられる
請求項１〜４のいずれか１項に記載の照明装置。
【請求項６】
前記導光体は、
前記第一主面側の第一透光層と、
前記第二主面側の第二透光層と、
前記第一透光層及び前記第二透光層の間に位置する、前記第一透光層よりも高い可撓性を有するフィルム層とを有し、
前記凹凸構造は、前記第二透光層に設けられる
請求項１〜４のいずれか１項に記載の照明装置。
【請求項７】
前記端面には、前記光源が発する光を集光、拡散、またはコリメートする光学構造が設けられる
請求項１〜６のいずれか１項に記載の照明装置。
【請求項８】
さらに、前記端面及び前記光源の間に位置し、前記光源が発する光を集光、拡散、またはコリメートする光学構造を備える
請求項１〜６のいずれか１項に記載の照明装置。
【請求項９】
前記光源が発光しているときに前記導光体を前記第一主面側から見ると、前記凹凸構造により前記図柄が立体的に見える
請求項１〜８のいずれか１項に記載の照明装置。
【請求項１０】
前記端面は、湾曲面である
請求項１〜６のいずれか１項に記載の照明装置。
【請求項１１】
前記端面は、断面形状が放物線状の湾曲面である
請求項１０に記載の照明装置。
【請求項１２】
前記導光体は、湾曲した板状である
請求項１〜１１のいずれか１項に記載の照明装置。
【請求項１３】
さらに、前記図柄層上に形成された、前記図柄層よりも遮光性の高い下地層を備える
請求項１〜１２のいずれか１項に記載の照明装置。
【請求項１４】
前記第一主面は、平坦である
請求項１〜１３のいずれか１項に記載の照明装置。
【請求項１５】
光源が発する光が入射する端面、第一主面、及び、凹凸構造が設けられた、前記第一主面と背向する第二主面を有する導光体を作製する第一ステップと、
作製された前記導光体の前記凹凸構造上に、図柄を構成する図柄層を形成する第二ステップとを含み、
前記凹凸構造は、前記図柄に応じたものである
照明装置の製造方法。
【請求項１６】
前記第一ステップにおいては、導光部材に前記凹凸構造を形成することにより、前記導光体を作製し、
前記凹凸構造は、切削、金型を用いた射出成型、または、レーザ加工によって形成される
請求項１５に記載の照明装置の製造方法。
【請求項１７】
前記第一ステップにおいては、
熱エンボス加工によってフィルムに前記凹凸構造を形成し、
前記凹凸構造が形成された前記フィルムを導光部材に貼りつけることにより前記導光体を作製する
請求項１５に記載の照明装置の製造方法。
【請求項１８】
前記第一ステップにおいては、
フィルムに透光材料を積層印刷することで前記凹凸構造を形成し、
前記凹凸構造が形成された前記フィルムを導光部材に貼りつけることにより前記導光体を作製する
請求項１５に記載の照明装置の製造方法。
【請求項１９】
前記第一ステップにおいては、
フィルム上に樹脂層を形成し、
前記樹脂層を賦形することによって前記凹凸構造を形成し、
前記凹凸構造を含む前記樹脂層が形成された前記フィルムを導光部材に貼りつけることにより前記導光体を作製する
請求項１５に記載の照明装置の製造方法。
【請求項２０】
前記第二ステップにおいては、ＵＶ（ＵｌｔｒａＶｉｏｌｅｔ）インクジェット印刷、スクリーン印刷、または、スプレー塗装によって前記凹凸構造上に前記図柄層を形成する
請求項１５〜１９のいずれか１項に記載の照明装置の製造方法。
【請求項２１】
前記凹凸構造は、前記図柄の画像データに基づいて形成され、
前記導光体の厚みは、前記画像データにおいて輝度が高い部分ほど薄い
請求項１５〜２０のいずれか１項に記載の照明装置の製造方法。
【手続補正２】
【補正対象書類名】明細書
【補正対象項目名】０００６
【補正方法】変更
【補正の内容】
【０００６】
本発明の一態様に係る照明装置は、光源と、前記光源が発する光が入射する端面、第一主面、及び、凹凸構造が設けられた、前記第一主面と背向する第二主面を有する導光体と、前記凹凸構造上に設けられた、図柄を構成する図柄層とを備え、前記凹凸構造は、前記図柄に応じたものである。
【手続補正３】
【補正対象書類名】明細書
【補正対象項目名】００４３
【補正方法】変更
【補正の内容】
【００４３】
［変形例３］
また、照明装置１０は、導光体１２と別体の光学構造を備えてもよい。図７は、このような実施の形態１の変形例３に係る照明装置の模式断面図である。図７に示される照明装置１０ｃにおいては、導光体１２の端面１２ａ及び光源１１の間に光学構造１７が位置する。光学構造１７は、光源１１が発する光に所定の光学特性を与える。光学構造１７は、例えば、コリメートレンズであり、光源１１が発する光をコリメートする。これにより照明装置１０ｃにおいても照明装置１０ａと同様の効果が得られる。
【手続補正４】
【補正対象書類名】明細書
【補正対象項目名】００４４
【補正方法】変更
【補正の内容】
【００４４】
また、光学構造１７は、散乱レンズであり、光源１１が発する光を散乱してもよい。これにより、照明装置１０ｃにおいても照明装置１０ｂと同様の効果が得られる。また、光学構造１７は、集光レンズであり、光源１１が発する光を集光してもよい。
【手続補正５】
【補正対象書類名】明細書
【補正対象項目名】００５３
【補正方法】変更
【補正の内容】
【００５３】
また、照明装置１０ｃは、さらに、端面１２ａ及び光源１１の間に位置し、光源１１が発する光を集光、拡散、またはコリメートする光学構造１７を備える。
【手続補正６】
【補正対象書類名】明細書
【補正対象項目名】０１１９
【補正方法】変更
【補正の内容】
【０１１９】
１０、１０ａ、１０ｂ、１０ｃ、１０ｄ、１０ｅ、１０ｆ、１０ｇ  照明装置
１１、４１  光源
１２、２０、３０、４２  導光体
１２ａ、１２ｆ、２０ａ、３０ａ、４２ａ  端面
１２ｂ、２０ｂ、３０ｂ、４２ｂ  第一主面
１２ｃ、２０ｃ、３０ｃ  第二主面
１２ｄ、１２ｅ、１７  光学構造
１３  凹凸構造
１４  図柄層
１５  下地層
１６  コーティング層
２１  透光層
２２、３３  フィルム層
３１  第一透光層
３２  第二透光層
【手続補正７】
【補正対象書類名】図面
【補正対象項目名】図７
【補正方法】変更
【補正の内容】
【図７】
2019102151.tif 000001